(57)【要約】【課題】地震等が起こった場合にも、被吊持物の揺動を極力抑制することができる折板屋根用吊り金具を提供する。【解決手段】本発明は、折板屋根５から被吊持物９を吊り下げるために用いられる吊り金具１である。折板屋根５の谷部５２の下面に当接し、当該谷部５２を跨ぐようにして取り付けられる当接部２３と、当接部２３に設けられ折板屋根５の谷部５２の両側に設けられた被係止部５６にそれぞれ係合する引掛け部２６と、当接部２３に設けられ被吊持物９を支持する吊持部４とを備えている。引掛け部２６は、折板屋根５の屋根勾配方向に沿って面状に形成されている。そして、この引掛け部２６は、被係止部５６に係合すると、当該引掛け部２６の屋根勾配方向の全長に亙って被係止部５６に当接する。【選択図】図１
2014122488.tif 000002
【特許請求の範囲】
【請求項１】
タイトフレームの離設された凸部の対向する傾斜部の表面側に係止部が設けられ、
折板屋根の谷部の両側から立設された立設部に、前記係止部に係止される被係止部が設けられ、
前記タイトフレームの前記係止部に前記折板屋根の前記被係止部が係合して前記タイトフレームに固定された前記折板屋根から被吊持物を吊り下げるために用いられる吊り金具であって、
前記折板屋根の谷部の下面に当接し、当該谷部を跨ぐようにして取り付けられる当接部と、
前記当接部に設けられ前記谷部の両側の立設部に設けられた前記被係止部にそれぞれ係合する引掛け部と、
前記当接部に設けられ前記被吊持物を支持する吊持部と
を備え、
前記引掛け部は、前記折板屋根の屋根勾配方向に沿って板状に形成されており、前記被係止部に係合すると、当該引掛け部の屋根勾配方向の全長に亙って前記被係止部に当接するものである
ことを特徴とする折板屋根用吊り金具。
【請求項２】
前記当接部は板状に形成されており、
この当接部の上面が、前記折板屋根の谷部の下面に当接する当接面となっている
ことを特徴とする請求項１記載の折板屋根用吊り金具。
【請求項３】
前記当接部と前記引掛け部とを有する金具本体と、この金具本体に取り付けられる前記吊持部とを備え、
前記金具本体は、前記谷部の一側面側に配置される第一金具と、前記谷部の他側面側に配置される第二金具とを相互に連結することで構成されており、
前記第一金具には前記当接部として第一当接部が設けられ、
前記第二金具には前記当接部として第二当接部が設けられ、
前記第一当接部と前記第二当接部とは一部が重なり合うことで連結され、
前記第一当接部の前記第二当接部に重なる部分に第一貫通孔が設けられ、
前記第二当接部の前記第一当接部に重なる部分に第二貫通孔が設けられ、
前記吊持部は、上下方向に沿って軸状に形成されたものであり、前記第一貫通孔と前記第二貫通孔とが上下方向に見て一致した状態で、前記第一貫通孔と前記第二貫通孔とに挿通して取り付けられるものである
ことを特徴とする請求項１または請求項２に記載の折板屋根用吊り金具。
【発明の詳細な説明】
【技術分野】
【０００１】
本発明は、折板屋根から被吊持物を吊り下げるために用いられる折板屋根用吊り金具に関する。
【背景技術】
【０００２】
特許文献１には、従来の折板屋根用吊り金具が開示されている。この特許文献１記載の折板屋根用吊り金具は、天井部材を吊持する支持装置である。この支持装置は、折板屋根の山型部に設けられたくびれ部に取り付けられて、天井部材を吊持する。
【０００３】
特許文献１記載の折板屋根は、上述のように、山型部にくびれ部が設けられている。くびれ部は、山型部の両側面から内側に向かって突出している。支持装置の上端部は、このくびれ部上に引掛けられることで、折板屋根の下方に取り付けられる。
【先行技術文献】
【特許文献】
【０００４】
【特許文献１】特開平１０−４６７３４号公報
【発明の概要】
【発明が解決しようとする課題】
【０００５】
ところでこの支持装置は、折板屋根の山型部に設けられたくびれ部上に引掛けられただけで取り付けられており、この状態で天井部材が吊り下げられている。このため、この特許文献１記載の構造では、地震等により天井部材が揺動した場合、水平方向への揺れに対する強度が弱く、天井部材が大きく揺動することがあった。
【０００６】
本発明は、上記事情に鑑みてなされたものであり、その目的とするところは、地震等が起こった場合にも、被吊持物の揺動を極力抑制することができる折板屋根用吊り金具を提供することにある。
【課題を解決するための手段】
【０００７】
本発明の折板屋根用吊り金具は、タイトフレームの離設された凸部の対向する傾斜部の表面側に係止部が設けられ、折板屋根の谷部の両側から立設された立設部に、前記係止部に係止される被係止部が設けられ、前記タイトフレームの前記係止部に前記折板屋根の前記被係止部が係合して前記タイトフレームに固定された前記折板屋根から被吊持物を吊り下げるために用いられる吊り金具であって、前記折板屋根の谷部の下面に当接し、当該谷部を跨ぐようにして取り付けられる当接部と、前記当接部に設けられ前記谷部の両側の立設部に設けられた前記被係止部にそれぞれ係合する引掛け部と、前記当接部に設けられ前記被吊持物を支持する吊持部とを備え、前記引掛け部は、前記折板屋根の屋根勾配方向に沿って板状に形成されており、前記被係止部に係合すると、当該引掛け部の屋根勾配方向の全長に亙って前記被係止部に当接するものであることを特徴とする。
【０００８】
またこの折板屋根用吊り金具において、前記当接部は板状に形成されており、この当接部の上面が、前記折板屋根の谷部の下面に当接する当接面となっていることが好ましい。
【０００９】
またこの折板屋根用吊り金具において、前記当接部と前記引掛け部とを有する金具本体と、この金具本体に取り付けられる前記吊持部とを備え、金具本体は、前記谷部の一側面側に配置される第一金具と、前記谷部の他側面側に配置される第二金具とを相互に連結することで構成されており、前記第一金具には前記当接部として第一当接部が設けられ、
前記第二金具には前記当接部として第二当接部が設けられ、前記第一当接部と前記第二当接部とは一部が重なり合うことで連結され、前記第一当接部の前記第二当接部に重なる部分に第一貫通孔が設けられ、前記第二当接部の前記第一当接部に重なる部分に第二貫通孔が設けられ、前記吊持部は、上下方向に沿って軸状に形成されたものであり、前記第一貫通孔と前記第二貫通孔とが上下方向に見て一致した状態で、前記第一貫通孔と前記第二貫通孔とに挿通して取り付けられるものであることが好ましい。
【発明の効果】
【００１０】
本発明の折板屋根用吊り金具によれば、地震等が起こった場合にも、被吊持物の揺動を極力抑制することができる。
【図面の簡単な説明】
【００１１】
【図１】本実施形態の折板屋根用吊り金具を取り付けた状態の斜視図である。
【図２】本実施形態のタイトフレームの斜視図である。
【図３】本実施形態の折板屋根がタイトフレームに取り付けられた状態の正面図である。
【図４】本実施形態の折板材の斜視図である。
【図５】本実施形態の金具本体の斜視図である。
【図６】本実施形態の金具本体の分解斜視図である。
【図７】（ａ）〜（ｄ）は、本実施形態の折板屋根用吊り金具の施工方法を説明するための正面図である。
【図８】本実施形態の折板屋根用吊り金具を取り付けた状態の正面図である。
【図９】本実施形態の折板屋根用吊り金具に被吊持物を取り付けた状態の斜視図である。
【図１０】本実施形態の折板屋根用吊り金具の他例の斜視図である。
【発明を実施するための形態】
【００１２】
以下、本発明の実施形態について添付図面に基づいて説明する。
【００１３】
本実施形態の折板屋根用吊り金具１（以下、吊り金具１という）は、図１に示すように、折板屋根５に取り付けられる。折板屋根５は、断面Ｕ字状の折板材５１が、屋根勾配方向とは直交する方向に連結されて構成されている。折板屋根５は、タイトフレーム６に固定されている。
【００１４】
ここで、屋根勾配方向は、屋根勾配の上流側から下流側に向かう方向、または下流側から上流側に向かう方向として定義される。屋根勾配方向は、例えば、軒と棟とを有する建物であれば、軒棟方向に相当する。また、必要に応じて、屋根勾配方向に沿った方向を、前後方向とし、屋根勾配方向に直角な方向を、左右方向として説明する。
【００１５】
タイトフレーム６は、折板屋根５を屋根下地７に固定するために用いられる。タイトフレーム６は、屋根下地７上に固定される。タイトフレーム６は、図２に示すように、凸部６１と、水平部６５とを備えている。タイトフレーム６は、例えば、帯状鋼板等の金属板を曲げ加工することで形成される。
【００１６】
凸部６１は、タイトフレーム６の長手方向に沿って複数設けられている。図３に示すように、各凸部６１同士の間には、水平部６５が設けられており、これにより、凸部６１同士は離間した状態で連結されている。各凸部６１は、図２に示すように、略水平な頂部６２と、頂部６２の左右方向の両端に設けられた脚部６３とを備えている。各脚部６３は、頂部６２の左右方向の両端から互いに離れるように斜め下方に向かって延出している。つまり、脚部６３の上側の表面は傾斜面６３１である。脚部６３には、係止部６４が設けられている。
【００１７】
係止部６４は、脚部６３の一部から斜め下方に向かって突出し、これにより、後述の折板材５１の被係止部５６を上下方向に係止する。係止部６４は、例えば、脚部６３の一部を切り起こすことで形成される。言い換えると、係止部６４は、タイトフレーム６の離設された凸部６１同士の対向する各傾斜面６３１に設けられている。より詳しく言うと、係止部６４は、図３に示すように、隣り合う別の凸部６１の対向する傾斜面６３１に設けられた他の係止部６４に対向配置されている。係止部６４は、脚部６３の傾斜面６３１に沿って複数箇所に設けられている。
【００１８】
なお、係止部６４は、各傾斜面６３１に１つずつ設けられたものであってもよいし、３つ以上設けられたものであってもよく、特に限定されない。
【００１９】
タイトフレーム６は、屋根下地７（例えば、母屋等の横架材）に載設される。タイトフレーム６は、屋根下地７上に直線状に配置される。また、特に図示はしないが、タイトフレーム６は、当該タイトフレーム６の長手方向とは直角な方向に、離間して配置される。この離設されたタイトフレーム６同士は、互いに平行となるよう配置される。また、タイトフレーム６の離設方向に並ぶ凸部６１は、略同一直線上に配置される。
【００２０】
なお、タイトフレーム６の屋根下地７への固定は、屋根下地７と水平部６５とを溶接することで固定されてもよいし、水平部６５が屋根下地７に固着具を介して固定されるものであってもよく、特に限定されるものではない。また、タイトフレーム６は、１つの凸部６１が形成されたものであってもよいし、３つ以上の複数の凸部６１が形成されたものであってもよい。
【００２１】
なお、屋根下地７は、例えば、母屋などの横架材により構成される。横架材としては、例えば、Ｈ型鋼やＣ型鋼等が挙げられる。
【００２２】
折板材５１は、塗装鋼板や亜鉛めっき鋼板などの金属板を曲げ加工することで形成される。折板材５１は、屋根勾配方向に長さを有し、屋根勾配方向とは直角な方向に幅を有している。折板材５１は、図４に示すように、断面略Ｕ字状に形成されている。折板材５１は、谷部５２と、２つの立設部５３とを備えている。
【００２３】
谷部５２は、折板材５１の底面となる部分である。谷部５２は、図３に示すように、タイトフレーム６の水平部６５の上方に対向配置される。谷部５２は、略平坦に形成されている。立設部５３は、谷部５２の幅方向の両端から上斜め上方に向かって延出している。また、各立設部５３は、上方に向かうほど互いに離れるよう傾斜している。立設部５３は、タイトフレーム６の脚部６３の上方に対向配置される。立設部５３は、図４に示すように、傾斜部５４と、傾斜部５４の上端に設けられた連結部５５とを備えている。
【００２４】
傾斜部５４には、被係止部５６が設けられている。被係止部５６は、折板屋根５の谷部５２の両側にそれぞれ設けられている。被係止部５６は、図３に示すように、タイトフレーム６の係止部６４に係止される。被係止部５６は、タイトフレーム６の係止部６４と係合すると、折板材５１の上方への移動を規制する。被係止部５６は、傾斜部５４を形成する金属板を裏面側に突出するよう段状に折り返して形成される。被係止部５６は、折板材５１の長手方向の全長に亙って設けられている。
【００２５】
連結部５５は、図４に示すように、折板材５１の幅方向の両端部に設けられている。隣り合う折板材５１同士は、屋根勾配方向とは直交する方向に、連結部５５を介して連結される。隣り合う折板材５１同士の連結は、例えば、はぜ締結や、ボルト留めや、嵌合方式により固定される。なお、本実施形態の隣り合う折板材５１同士の連結は、はぜ締結により行われる。
【００２６】
上記構造の折板屋根５は、例えば、次のようにして設置される。
【００２７】
施工者は、タイトフレーム６を屋根下地７上に設置する。次に、施工者は、屋根勾配方向とは直角な方向に隣り合う凸部６１同士の間に折板材５１を配置し、屋根勾配方向に離設されたタイトフレーム６に架設する。施工者は、屋根勾配方向とは直交する方向に、折板材５１を順に配置する。
【００２８】
次いで、施工者は、折板材５１を下方に向かって押し込み、タイトフレーム６の係止部６４に、折板材５１の被係止部５６を係合させる。また、施工者は、隣り合う折板材５１同士を互いにはぜ締結する。
【００２９】
このように本実施形態の折板屋根５は、タイトフレーム６の係止部６４に折板屋根５の被係止部５６が係合することで、タイトフレーム６に固定される。本実施形態の吊り金具１は、図９に示すように、この折板屋根５の下方に、被吊持物９（例えば、天井板９１等）を吊り下げるために用いられる。
【００３０】
吊り金具１は、図１に示すように、折板屋根５の谷部５２の下面側に設置される。具体的に、吊り金具１は、折板屋根５の被係止部５６に引っ掛けられて取り付けられる。吊り金具１は、屋根勾配方向において、離設されたタイトフレーム６の間に配置される。吊り金具１は、金具本体２と、吊持部４とを備えている。金具本体２は、図５に示すように、第一金具２１と、第二金具２２とを有しており、この第一金具２１と第二金具２２とを相互に連結することで形成されている。
【００３１】
第一金具２１は、金具本体２の半部を構成する。第一金具２１は、図８に示すように、折板屋根５の谷部５２に対し、屋根勾配方向とは直角な方向のうちのいずれかの側面側に配置される。言い換えると、第一金具２１は、谷部５２の一側面側に配置される。第一金具２１は、図６に示すように、当接部２３と、引掛け部２６とを備えている。第一金具２１は、板状であり、例えば、帯状の金属板を曲げ加工することで形成されている。
【００３２】
なお、当接部２３および引掛け部２６は、第二金具２２にも設けられている。したがって、第一金具２１に設けられた当接部２３を、第一当接部２４として定義し、第二金具２２に設けられた当接部２３を、第二当接部２５として定義する。また、第一金具２１に設けられた引掛け部２６を、第一引掛け部２７として定義し、第二金具２２に設けられた引掛け部２６を、第二引掛け部２８として定義する。
【００３３】
第一当接部２４は、図８に示すように、折板屋根５の谷部５２の下面に当接し、また、折板屋根５の立設部５３の下端部にも当接する。第一当接部２４は、図６に示すように、平坦部３０と、立上部３１と、接続部３２とを備えている。
【００３４】
平坦部３０は、谷部５２の下面に当接する。平坦部３０は、前後方向（屋根勾配方向に平行な方向）に幅を有し、左右方向（屋根勾配方向とは直角な方向）に長さを有している。立上部３１は、平坦部３０の長手方向の第一端（第二金具２２が配置される側とは反対側の端部）から、平坦部３０とのなす角が鈍角となるよう上斜め上方に向かって延出している。接続部３２は、平坦部３０の長手方向の第二端（第一端とは反対側の端部）から下方に向かって延出している。
【００３５】
接続部３２は、正面視略Ｌ字状に形成されている。接続部３２は、平坦部３０の第二端から下方に向かって延出した縦片３３と、縦片３３の下方側の先端から第二金具２２側に向かって延出した横片３４と、横片３４の第二金具２２側の先端から突出した突出片３５とを備えている。突出片３５の前後方向の長さ（つまり、幅）は、横片３４の前後方向の長さ（つまり、幅）よりも短く形成されている。また、横片３４には、第一貫通孔３６が設けられている。第一貫通孔３６は、横片３４を上下方向に貫通する。第一貫通孔３６は、横片３４の略中央（左右方向の略中央で且つ前後方向の略中央）に設けられている。
【００３６】
また、接続部３２は、規制片８３を有している。規制片８３は、縦片３３の前後方向の端部（屋根勾配方向の端部）から、第二金具２２側に向かって突出している。
【００３７】
第一引掛け部２７（引掛け部２６）は、当接部２３の屋根勾配方向とは直交する方向の端部に設けられている。第一引掛け部２７は、立上部３１の上端を谷部５２側に折り返すことで形成されている。第一引掛け部２７は、折板屋根５の屋根勾配方向に沿って板状に形成されている。つまり、第一引掛け部２７は、屋根勾配方向に一定の幅を有している。第一引掛け部２７は、折板屋根５の被係止部５６に引っ掛けられると、当該第一引掛け部２７の屋根勾配方向の全長（つまり、幅方向の全長）に亙って、被係止部５６に線状または面状に当接する。
【００３８】
なお、この第一引掛け部２７は、平面でなくてもよく、例えば、立上部３１の上端から第一引掛け部２７の先端に亙って上方に湾曲していてもよい。
【００３９】
第二金具２２は、吊り金具１の半部を構成する。第二金具２２は、図８に示すように、折板屋根５の谷部５２に対し、屋根勾配方向とは直角な方向のうちの第一金具２１とは反対側の側面側に配置される。言い換えると、第二金具２２は、第一金具２１を谷部５２の一側面側に配置した場合における、谷部５２の他側面側に配置される。第二金具２２は、図６に示すように、当接部２３（第二当接部２５）と、引掛け部２６（第二引掛け部２８）とを備えている。第二金具２２は、板状であり、例えば、帯状の金属板を曲げ加工することで形成されている。
【００４０】
第二当接部２５は、図８に示すように、折板屋根５の谷部５２の下面に当接し、また、折板屋根５の立設部５３の下端部にも当接する。第二当接部２５は、図６に示すように、平坦部３０と、立上部３１と、接続部３２とを備えている。なお、第二金具２２の構造は、大部分において第一金具２１と同じであるため、同じ部分の説明は省略する。
【００４１】
第二当接部２５の平坦部３０は、第一当接部２４の平坦面と同様、谷部５２の下面に当接する。また、第一当接部２５の平坦部３０も、谷部５２の下面に当接する。言い換えると、当接部２３の上面（第一当接部２４の平坦部３０と第二当接部２５の平坦部３０）は、谷部５２の下面に当接する当接面３００となっている。
【００４２】
第二当接部２５の接続部３２の縦片３３には、ガイド孔３８が設けられている。ガイド孔３８には、第一当接部２４の突出片３５がスライド自在に挿入される。ガイド孔３８は、縦片３３の下端部に沿って設けられている。
【００４３】
第二金具２２の横片３４には、第二貫通孔３７が設けられている。第二貫通孔３７は、横片３４を上下方向に貫通する。第二貫通孔３７は、横片３４の略中央（左右方向の略中央で且つ前後方向の略中央）に設けられている。
【００４４】
金具本体２は、図５に示すように、第一金具２１と第二金具２２とを連結することで形成されている。第一金具２１と第二金具２２とは、接続部３２を介して連結される。第一金具２１の縦片３３と第二金具２２の縦片３３とには、それぞれ、対向する箇所に連結孔３９が２つ穿設されている（図６参照）。金具本体２は、第一金具２１の横片３４と、第二金具２２の横片３４とを上下に重ねた状態で、連結ボルト８０を縦片３３の連結孔３９に挿通し、この後、ナット８２を締め込むことで組み立てられる。言い換えると、第一当接部２４と第二当接部２５とは、一部が（つまり、横片３４同士が）重なり合うことで連結される。このとき、第二金具２２のガイド孔３８には、第一金具２１の突出片３５が挿入される。
【００４５】
このとき、第一金具２１の縦片３３に設けられた規制片８３の左右方向の先端は、第二金具２２の縦片３３に当接する。また、第二金具２１の縦片３３に設けられた規制片８３の左右方向の先端は、第一金具２２の縦片３３に当接する。これにより、縦片３３同士の間の寸法を一定に保つことができ、連結ボルト８０とナット８２との締め過ぎによる不具合を防ぐことができる。
【００４６】
なお、規制片８３は、第一金具２１と第二金具２２との両方に一つずつ設けられていたが、例えば、第一金具２１の縦片３３の前後方向の両端に設けられ、且つ第二金具２２の縦片３３には設けられていないものであってもよいし、第二金具２２の縦片３３の前後方向の両端に設けられて、第一金具２１の縦片３３には設けられていないものであってもよい。
【００４７】
また、この規制片８３に替えて、図１０に示すような、スペーサー８１が設けられてもよい。このスペーサー８１は、第一金具２１の縦片３３と第二金具２２の縦片３３との間に配置される。スペーサー８１は、例えば、金属製の筒体により構成される。
【００４８】
このような構成の金具は、例えば、図７に示すようにして、折板屋根５の谷部５２の下方に取り付けられる。
【００４９】
施工者は、図７（ｂ）に示すように、折板屋根５の谷部５２の左右方向の一側面側に第一金具２１を配置する。このとき、施工者は、第一金具２１の第一引掛け部２７の先端を、折板屋根５の被係止部５６（最も下方に位置する被係止部５６）に線状または面状に当接した状態で、第一金具２１を保持する。
【００５０】
次に、施工者は、図７（ｂ）（ｃ）に示すように、折板屋根５の谷部５２の左右方向の他側面側（第一金具２１を配置した側とは反対側）に、第二金具２２を配置する。施工者は、第二金具２２のガイド孔３８に第一金具２１の突出片３５を挿入するようにして第二金具２２を配置する。そして、施工者は、連結ボルト８０を第一金具２１の連結孔３９に挿通し、ナット８２を軽くねじ込む。すると、第一金具２１の当接部２３と第二金具２２の当接部２３は、谷部５２を跨ぐようにして、当該谷部５２の下方に仮止めされる（図７（ｃ））。
【００５１】
次に、施工者は、連結孔３９内の連結ボルト８０に螺合されたナット８２を強く締結する。すると、第一金具２１と第二金具２２とが、ガイド孔３８と突出片３５とをガイドにして、互いに近づいてゆく。このとき、第一金具２１の横片３４に設けられた第一貫通孔３６と、第二金具２２の横片３４に設けられた第二貫通孔３７とが、上下方向に見て同芯となるよう近づく。そして、ナット８２が所定の位置まで締め込まれると、第一貫通孔３６と第二貫通孔３７とが上下方向に見て略一致する。これにより、金具本体２の本固定が完了する。
【００５２】
この第一貫通孔３６および第二貫通孔３７は、上下方向に連通した状態で、軸状の吊持部４が取り付け可能な状態となる。
【００５３】
吊持部４は、図８に示すように、上下方向に長さを有する軸状に形成されている。吊持部４は、例えば、吊りボルトにより構成されている。吊持部４の上端には、ねじ部４１が形成されている。吊持部４は、第一貫通孔３６と第二貫通孔３７とが上下方向に一致した状態で、これら第一貫通孔３６と第二貫通孔３７とに挿通して取り付けられる。
【００５４】
なお、吊持部４の固定は、例えば、横片３４の上面に溶接固定されたナット４２を介して行われるが、横片３４の上下方向にナットを螺合し、横片３４の上下両側からナットを締結することで、吊持部４を固定してもよい。
【００５５】
この吊持部４には、被吊持物９が取り付けられる。吊持部４は、上方から吊り下げることで、被吊持物９を支持する。被吊持物９は、例えば、天井材や空気調和機，ダクト配管，配線ダクト等により構成される。なお、被吊持物９としては、これらのいずれか一つであってもよいし、複数種類を組み合わせたものであってもよい。以下、被吊持物９として天井材が用いられた場合について説明する。
【００５６】
天井材は、図９に示すように、天井板９１と、天井板９１の上面に互いに平行するよう複数並設された野縁９２と、野縁９２に当該野縁９２の長手方向とは直角な方向に架設された野縁受け９３とを備えている。野縁９２と野縁受け９３とは、例えば溝形鋼（いわゆるチャンネル）により構成されており、互いに固定されている。
【００５７】
野縁受け９３には、逆Ｌ字状のハンガー９４が取り付けられている。このハンガー９４は、野縁受け９３に固定される固着部９５と、吊持部４の下端部に連結される連結固定部９６とを備えている。
【００５８】
また天井材は、天井板９１の揺れを防ぐためのブレス材９７を有している。ブレス材９７の上端部は、吊持部４の上端部に固定される。ブレス材９７の下端部は、野縁受け９３に固定される。このブレス材９７は、例えば、溝形鋼（いわゆるチャンネル）や等辺山形鋼(いわゆるアングル)により構成される。
【００５９】
このような構造において、地震等が発生し、天井板９１が水平方向に揺れると、この水平方向の揺れは、野縁受け９３とブレス材９７と吊持部４とにより規制される。このとき、この揺れの力は、吊持部４を介して吊り金具１に伝達する。
【００６０】
吊り金具１は、折板屋根５の谷部５２の下面に当接部２３が当接し、谷部５２の両側の被係止部５６に引掛け部２６が係止し、これに加えて、引掛け部２６が、幅方向の全長に亙って被係止部５６に当接している。このため、本実施形態の吊り金具１は、下方への荷重に対する強度だけでなく、横揺れに対しても強度が向上し、この結果、天井材の揺れを規制することができる。
【００６１】
以上、説明したように本実施形態の吊り金具１は、折板屋根５から、被吊持物９を吊り下げるために用いられる。折板屋根５はタイトフレーム６に取り付けられる。タイトフレーム６は、凸部６１が離設されている。離設された凸部６１同士の対向する各傾斜面６３１には、係止部６４が設けられている。折板屋根５の谷部５２の両側には、この係止部６４に係止される被係止部５６が設けられている。吊り金具１は、当接部２３と、引掛け部２６と、吊持部４とを備えている。当接部２３は、折板屋根５の谷部５２の下面に当接し、当該谷部５２を跨ぐようにして取り付けられる。引掛け部２６は、当接部２３の屋根勾配方向に直角な方向の両端に設けられている。また、引掛け部２６は、折板屋根５の谷部５２の両側に設けられた被係止部５６にそれぞれ係合する。そして、この引掛け部２６は、折板屋根５の屋根勾配方向に沿って面状に形成されている。そして、引掛け部２６は、被係止部５６に係合すると、屋根勾配方向の全長に亙って被係止部５６に当接する。
【００６２】
このため、本実施形態の吊り金具１は、折板屋根５の谷部５２の下面に強固に取り付けられる。特に、当接部２３が谷部５２の下面に当接し、且つ、面状の引掛け部２６の先端の屋根勾配方向の全長が、折板屋根５の係止部６４に当接しているため、吊持部４の前後左右の横揺れに対して、強度を向上させることができる。これにより、地震等が起こった場合にも、被吊持物９の揺動を極力抑制することができる。
【００６３】
また、本実施形態の吊り金具１の当接部２３の上面は、折板屋根５の谷部５２の下面に当接する面状の当接面３００となっている。
【００６４】
このため、本実施形態の吊り金具１によれば、より一層、吊り金具１の横揺れに対して強度を強くすることができ、被吊持物９の揺動を抑制することができる。
【００６５】
また、本実施形態の吊り金具１は、当接部２３と引掛け部２６とを有する金具本体２と、この金具本体２に取り付けられる吊持部４とを備えている。金具本体２は、谷部５２の一側面側に配置された第一金具２１と、谷部５２の他側面側に配置された第二金具２２とを相互に連結することで構成されている。第一金具２１には、当接部２３として第一当接部２４が設けられている。第二金具２２には、当接部２３として第二当接部２５が設けられている。第一当接部２４と第二当接部２５とは、一部が（つまり、横片３４が）重なり合うことで連結されている。第一当接部２４の第二当接部２５に重なる部分に第一貫通孔３６が設けられている。また、第二当接部２５の第一当接部２４に重なる部分に第二貫通孔３７が設けられている。吊持部４は、上下方向に沿って軸状に形成されたものである。この吊持部４は、第一貫通孔３６と第二貫通孔３７とが上下方向に見て一致した状態で、第一貫通孔３６と第二貫通孔３７とに挿通して取り付けられるものである。
【００６６】
本実施形態の金具本体２は、第一金具２１と第二金具２２との連結時に、第一金具２１と第二金具２２とを互いに所定の位置まで近付けないと、第一貫通孔３６と第二貫通孔３７とが一致しない。このため、第一金具２１と第二金具２２との連結に当たり、第一金具２１と第二金具２２とが所定の位置に連結されていない場合には、吊持部４を取り付けることができない。この結果、吊り金具１の連結ボルト８０の締め忘れを防ぐことができる。
【００６７】
また本実施形態の吊り金具１は、折板屋根５の被係止部５６を利用して取り付けることができるものである。このため、吊り金具１を既存の折板屋根５に後付け的に設置することも容易にできる。
【００６８】
なお、本実施形態の吊り金具１は、折板屋根５の最も下方に位置する被係止部５６に係止させるものであったが、本発明においては、どの被係止部５６を利用して取り付けてもよいものとする。
【００６９】
また、第一金具２１と第二金具２２とを連結する連結ボルト８０は、上記実施形態のように２つであってもよいし、図１０に示すように１つであってもよい。また、連結ボルト８０は、３つ以上設けられてもよい。
【００７０】
また、本実施形態の吊持部４は、ナット４２により固定されていたが、本発明においては、ナット４２ではなく、第一貫通孔３６および第二貫通孔３７にタップ孔を形成し、これに吊持部４を直接螺合するものであってもよい。また、第一金具２１と第二金具２２とを連結する連結ボルト８０は、ナット８２ではなく、第一金具２１または第二金具２２のいずれかの連結孔３９にタップ孔を形成し、これに直接螺合するものであってもよい。
【符号の説明】
【００７１】
１      吊り金具
２      金具本体
２１    第一金具
２２    第二金具
２３    当接部
２４    第一当接部
２５    第二当接部
２６    引掛け部
２７    第一引掛け部
２８    第二引掛け部
３０    平坦部
３００  当接面
３１    立上部
３２    接続部
３６    第一貫通孔
３７    第二貫通孔
４      吊持部
５      折板屋根
５２    谷部
５６    被係止部
６      タイトフレーム
６１    凸部
６３１  傾斜面
６４    係止部
９      被吊持物
【図１】
2014122488.tif 000003
【図２】
2014122488.tif 000004
【図３】
2014122488.tif 000005
【図４】
2014122488.tif 000006
【図５】
2014122488.tif 000007
【図６】
2014122488.tif 000008
【図７】
2014122488.tif 000009
【図８】
2014122488.tif 000010
【図９】
2014122488.tif 000011
【図１０】
2014122488.tif 000012